(57)【要約】【課題】  地中の老朽管を管軸に沿って裂開した裂開鞘管内に付設された配管に対して分岐取り出し工事を行うに際して、工事の作業性を向上させると共に、工事の施工時間の短縮化を図る。【解決手段】  補助治具１０は、地中の老朽管を管軸に沿って裂開した裂開鞘管内に付設された配管に対して分岐取り出し工事を行う際に使用する補助治具であって、裂開鞘管１と配管２との間に挿入可能な弾性挿入案内片１１と、弾性挿入案内片１１が一端に取り付けられ、非膨張時は平面袋状をなし、内部に弾性膨張バッグ１２Ａが配備された枕部材１２と、枕部材１２の他端から引き出され、弾性膨張バッグ１２Ａに圧力供給を行う圧力供給チューブ１３とを備える。【選択図】図４
2006349141.tif 000002
【特許請求の範囲】
【請求項１】
地中の老朽管を管軸に沿って裂開した裂開鞘管内に付設された配管に対して分岐取り出し工事を行う際に使用する補助治具であって、
前記裂開鞘管と前記配管との間に挿入可能な弾性挿入案内片と、
該弾性挿入案内片が一端に取り付けられ、非膨張時は平面袋状をなし、内部に弾性膨張バッグが配備された枕部材と、
前記枕部材の他端から引き出され、前記弾性膨張バッグに圧力供給を行う圧力供給チューブとを備え、
前記裂開鞘管と前記配管との間に挿入された前記枕部材の膨張によって、前記裂開鞘管と前記配管との間に、該裂開鞘管を管軸と垂直な断面で切断して分岐領域を開放する作業スペースを形成することを特徴とする裂開鞘管内配管の分岐取り出し工事補助治具。
【請求項２】
前記枕部材は、前記弾性膨張バッグを覆う補強繊維によって構成されることを特徴とする請求項１に記載された裂開鞘管内配管の分岐取り出し工事補助治具。
【請求項３】
地中の老朽管を管軸に沿って裂開した裂開鞘管内に付設された配管に対して分岐取り出し工事を行う裂開鞘管内配管の分岐取り出し工法において、
前記裂開鞘管と前記配管との間に挿入可能な弾性挿入案内片と、該弾性挿入案内片が一端に取り付けられ、非膨張時は平面袋状をなし、内部に弾性膨張バッグが配備された枕部材と、前記枕部材の他端から引き出され、前記弾性膨張バッグに圧力供給を行う圧力供給チューブとを備えた補助治具を用い、
前記裂開鞘管と前記配管との間に前記補助治具の枕部材を挿入する工程と、
前記圧力供給チューブから前記弾性膨張バッグに圧力供給を行って前記枕部材を膨張させる工程と、
該膨張によって形成された前記裂開鞘管と前記配管との間隙を作業スペースとして、前記裂開鞘管を管軸と垂直な断面で切断し前記配管の分岐領域を開放する工程と
を有することを特徴とする裂開鞘管内配管の分岐取り出し工法。
【請求項４】
前記枕部材を膨張させる工程の後、該膨張によって形成された前記裂開鞘管と前記配管との間隙を保持する間隙保持部材を当該間隙に介在させ、前記補助治具を取り除く工程を有することを特徴とする請求項３に記載された裂開鞘管内配管の分岐取り出し工法。
【発明の詳細な説明】
【技術分野】
【０００１】
本発明は、地中の老朽管を管軸に沿って裂開しながら、この裂開した鞘管内に更新配管を敷設するスプリッター工法によって敷設された配管に対して、敷設後に分岐取り出し工事を行うために必要な補助治具、或いは分岐取り出し工法に関する。
【背景技術】
【０００２】
地中の老朽管を更新配管と入れ替える工法として、下記特許文献１，２に示したような工法（スプリッター工法）が普及している。この工法を図１によって説明する。
【０００３】
先ず、老朽管Ｊ１の施工対象区間の両端に、到達立坑Ｊ２と発進立坑Ｊ３を形成し、到達立坑Ｊ２の側から老朽管Ｊ１の管内に牽引部材Ｊ４を挿通して発進立坑Ｊ３の側に牽引部材Ｊ４の端部を到達させ、発進立坑Ｊ３の側において牽引部材Ｊ４の端部に、老朽管Ｊ１を管軸方向に割裂いて拡径するスプリッターＪ５を接続する。また、スプリッターＪ５の後段に更新配管Ｊ８（ポリエチレン樹脂管等）を直列に接続させた状態とし、到達立坑Ｊ２の側に設置した牽引装置Ｊ７により牽引部材Ｊ４を牽引してスプリッターＪ５および更新配管Ｊ８を発進立坑Ｊ３の側から老朽管Ｊ１の管内に引き通す。これによって、スプリッターＪ５によって割裂かれて裂開した老朽管Ｊ１は裂開鞘管となり、その裂開鞘管内に更正配管Ｊ８が敷設され、老朽管Ｊ１と同一経路に更新配管Ｊ８を敷設することができる。
【０００４】
【特許文献１】特開平８−６１５６１号公報
【特許文献２】特開２００５−６９３９０号公報
【発明の開示】
【発明が解決しようとする課題】
【０００５】
このような裂開鞘管内に敷設された配管に対して分岐工事を行う場合には、配管の周囲が裂開鞘管に覆われているので、配管に分岐継手を接続する領域（分岐領域）に対応して、裂開鞘管を管軸と垂直に切断して取り除く必要がある。この際、裂開鞘管の中に密着して配管が敷設されているので、配管を傷つけないように裂開鞘管のみを切断するのは至難の業であり、時間と熟練した技術が必要になっていた。
【０００６】
また、この裂開鞘管の切断を特殊な切断工具で行うことが成されており、その場合には裂開された一端から他端に向けて裂開鞘管の周面に沿って順次切断が行われるので、切断作業が終了するまで非常に時間が掛かり、分岐取り出し工事の長時間化を招くことが問題になっていた。
【０００７】
本発明は、このような事情に対処することを課題とするものであって、地中の老朽管を管軸に沿って裂開した裂開鞘管内に付設された配管に対して分岐取り出し工事を行うに際して、工事の作業性を向上させると共に、施工時間の短縮化を図ることを目的とするものである。
【課題を解決するための手段】
【０００８】
このような目的を達成するために、本発明は、以下の特徴を有する。
一つには、地中の老朽管を管軸に沿って裂開した裂開鞘管内に付設された配管に対して分岐取り出し工事を行う際に使用する補助治具であって、前記裂開鞘管と前記配管との間に挿入可能な弾性挿入案内片と、該弾性挿入案内片が一端に取り付けられ、非膨張時は平面袋状をなし、内部に弾性膨張バッグが配備された枕部材と、前記枕部材の他端から引き出され、前記弾性膨張バッグに圧力供給を行う圧力供給チューブとを備え、前記裂開鞘管と前記配管との間に挿入された前記枕部材の膨張によって、前記裂開鞘管と前記配管との間に、該裂開鞘管を管軸と垂直な断面で切断して分岐領域を開放する作業に必要な隙間を形成することを特徴とする。
【０００９】
また、一つには、前述の特徴に併せて、前記枕部材は、前記弾性膨張バッグを覆う補強繊維によって構成されることを特徴とする。
【００１０】
また、一つには、地中の老朽管を管軸に沿って裂開した裂開鞘管内に付設された配管に対して分岐取り出し工事を行う裂開鞘管内配管の分岐取り出し工法において、前記裂開鞘管と前記配管との間に挿入可能な弾性挿入案内片と、該弾性挿入案内片が一端に取り付けられ、非膨張時は平面袋状をなし、内部に弾性膨張バッグが配備された枕部材と、前記枕部材の他端から引き出され、前記弾性膨張バッグに圧力供給を行う圧力供給チューブとを備えた補助治具を用い、前記裂開鞘管と前記配管との間に前記補助治具の枕部材を挿入する工程と、前記圧力供給チューブから前記弾性膨張バッグに圧力供給を行って前記枕部材を膨張させる工程と、該膨張によって形成された前記裂開鞘管と前記配管との間隙を作業スペースとして前記裂開鞘管を管軸と垂直な断面で切断して前記配管の分岐領域を開放する工程とを有することを特徴とする。
【００１１】
また、一つには、前述の特徴に併せて、前記枕部材を膨張させる工程の後、該膨張によって形成された前記裂開鞘管と前記配管との間隙を保持する間隙保持部材を当該間隙に介在させ、前記補助治具を取り除く工程を有することを特徴とする。
【発明の効果】
【００１２】
このような特徴によると、前述した補助治具によって、裂開鞘管とその中に配置された配管との間に十分な作業スペースを確保することができるので、配管を傷つける心配なく裂開鞘管を切断することができ、作業性良く配管の分岐取り出し工事を行うことができる。
【００１３】
また、補助治具において裂開鞘管と配管との間に挿入される枕部材は弾性膨張バッグを覆う補強繊維によって構成されているので、誤って切断工具が触れても弾性膨張バッグの破損を防止することができ、高い作業性を確保することができる。
【００１４】
また、前述した補助治具を用いた工法において、補助治具における枕部材を膨張させる工程の後、膨張によって形成された裂開鞘管と配管との間隙を保持する間隙保持部材を当該間隙に介在させ、補助治具を取り除く工程を設けることで、補助治具の破損等を考慮することなく、また、十分な作業スペースを確保した状態で、良好な作業性を得ることができ、分岐取り出し工事の施工時間を短縮することができる。
【発明を実施するための最良の形態】
【００１５】
以下、本発明の実施形態を図面に基づいて説明する。図２は、本発明の実施形態に係る裂開鞘管内配管の分岐取り出し工事補助治具（以下、単に補助治具という）を示す説明図である。この補助治具１０は、地中の老朽管を管軸に沿って裂開した裂開鞘管内に付設された配管に対して分岐取り出し工事を行う際に使用する補助治具であって、裂開鞘管と配管との間に挿入可能な弾性挿入案内片１１と、弾性挿入案内片１１が一端に取り付けられ、非膨張時は平面袋状をなし、内部に弾性膨張バッグ１２Ａが配備された枕部材１２と、枕部材１２の他端から引き出され、弾性膨張バッグ１２Ａに圧力供給を行う圧力供給チューブ１３とを備える。
【００１６】
ここで、弾性挿入案内片１１は、金属等の薄板からなり、枕部材１２の挿入される側の一辺に取り付けられている。枕部材１２は、例えば補強繊維等で形成された平面袋状の部材内に弾性膨張バッグ１２Ａを配備したものである。また圧力供給チューブ１３は、一端が弾性膨張バッグ１２Ａに接続されて、他端には後述する空気ポンプの出力端に接続される端子部１３Ａが設けられている。圧力供給チューブ１３の端子部１３Ａから空気圧を供給すると、弾性膨張バッグ１２Ａが膨らんで、枕部材１２を枕状に膨らませることができる。
【００１７】
これによると、裂開鞘管と配管との間に挿入された枕部材１２の膨張によって、裂開鞘管と配管との間に、裂開鞘管を管軸と垂直な断面で切断して分岐領域を開放する作業に必要な隙間（作業スペース）を形成することができる。
【００１８】
図３〜５は、この補助治具１０を用いた裂開鞘管内配管の分岐取り出し工法を説明する説明図である。先ず、図３に示すように、地中の老朽管を管軸に沿って裂開した裂開鞘管１とその内に敷設された配管２の間に前述した構成を有する補助治具１０を挿入する。その際には、弾性挿入案内片１１を裂開鞘管１と配管２の間の間隙に押し込み、その間隙を通過して出てきた弾性挿入案内片１１の先端側を引っ張って、図３に示すように枕部材１２を裂開鞘管１と配管２の間に引き込む。そして、圧力供給チューブ１３の端子部１３Ａに空気ポンプ１４の出力端を接続し、この出力端に装備された圧力ゲージ１４Ａの表示を見ながら空気ポンプ１４を作動させ、枕部材１２の弾性膨張バッグ１２Ａ内に所望の空気圧を供給する。
【００１９】
枕部材１２の弾性膨張バッグ１２Ａ内に空気圧が供給されると、図４及び図５に示すように、弾性膨張バッグ１２Ａが膨らんで、枕部材１２が枕状になって裂開鞘管１と配管２との間に介在することになる（図４は側方断面図、図５は平面図を示している）。
【００２０】
このように、裂開鞘管１と配管２との間に膨らんだ枕部材１２が介在することで、両者の間に大きな間隙が形成されるので、この間隙を作業スペースとして、裂開鞘管１を管軸と垂直な断面で切断し、配管２の分岐領域を開放する。この際の切断は、例えば図５に示すようなＣ１−Ｃ１，Ｃ２−Ｃ２に沿って行われ、このＣ１−Ｃ１，Ｃ２−Ｃ２間で裂開鞘管１が除去された部分に配管２の分岐領域が形成されることになる。
【００２１】
この切断作業に際しては、周知の電動金鋸等の切断工具が用いられ、管軸に垂直な平面に沿って上下に切断刃を移動させて切断することができる。これによって、作業性が良く、また短時間に切断作業を終えることができる。また、枕部材１２を弾性膨張バッグ１２Ａを覆う補強繊維で形成した場合には、誤って切断刃が枕部材１２に触れても弾性膨張バッグ１２Ａの破損を防止することができる。
【００２２】
図６及び図７は、本発明の他の実施形態に係る裂開鞘管内配管の分岐取り出し工法を説明する説明図である。この実施形態では、前述した枕部材１２を膨張させる工程の後、膨張によって形成された裂開鞘管１と配管２との間隙を保持する間隙保持部材３を当該間隙に介在させ、補助治具１０を取り除く工程を有する。
【００２３】
すなわち、図６に示すように、前述した枕部材１２を膨張させる工程の後、形成された大きな間隙に間隙保持部材３を挿入する。この後、枕部材１２内の弾性膨張バッグ１２Ａ内の空気圧を抜き、枕部材１２を平面状に戻して、補助治具１０を裂開鞘管１と配管２の間隙から取り除く。この際、間隙保持部材３は、切断予定箇所Ｃ１−Ｃ１，Ｃ２−Ｃ２より外側に配置して、切断作業の作業スペースを十分に確保する。
【００２４】
補助治具１０が取り除かれると、図７に示すように、切断作業の作業スペースにおいては、間隙保持部材３によって裂開鞘管１と配管２が完全に分離された状態になるので、配管３への影響を気にすることなく、切断工具４を用いて裂開鞘管１を管軸と垂直な平面に沿って自由に切断することができる。
【００２５】
図８は、切断作業が終了した後に配管２の分岐領域が開放された状態を示した説明図である。図示のように、裂開鞘管１の一部を前述した切断作業によって除去して、配管２の分岐領域Ｓを露出させる。そして、この露出した分岐領域Ｓに対して、周知の穿孔作業，分岐継手接続作業が行われることになる。
【００２６】
このような実施形態に係る裂開鞘管内配管の分岐取り出し工事補助治具、或いは裂開鞘管内配管の分岐取り出し工法によると、地中の老朽管を管軸に沿って裂開した裂開鞘管１内に付設された配管２に対して分岐取り出し工事を行うに際して、工事の作業性を向上させると共に、施工時間の短縮化を図ることができる。特に、裂開鞘管１と配管２とを大きな間隙をもって分離した状態で、裂開鞘管１の切断作業を行うことができるので、配管２が傷つき易い樹脂管であっても、安全且つ簡易に作業を進めることができる。また、裂開鞘管１と配管２とが密着している状態で切断作業を行う特殊な切断工具を使う必要がないので、安価に作業を進めることができる。
【図面の簡単な説明】
【００２７】
【図１】従来技術の説明図である。
【図２】本発明の実施形態に係る裂開鞘管内配管の分岐取り出し工事補助治具を説明する説明図（平面図）である。
【図３】本発明の実施形態に係る裂開鞘管内配管の分岐取り出し工法（裂開鞘管１と配管２との間に補助治具１０の枕部材１２を挿入する工程）を説明する説明図である。
【図４】本発明の実施形態に係る裂開鞘管内配管の分岐取り出し工法（圧力供給チューブ１３から弾性膨張バッグ１２Ａに圧力供給を行って枕部材１２を膨張させる工程）を説明する説明図である。
【図５】本発明の実施形態に係る裂開鞘管内配管の分岐取り出し工法（圧力供給チューブ１３から弾性膨張バッグ１２Ａに圧力供給を行って枕部材１２を膨張させる工程）を説明する説明図である。
【図６】本発明の実施形態に係る裂開鞘管内配管の分岐取り出し工法（膨張によって形成された裂開鞘管１と配管２との間隙を保持する間隙保持部材３を当該間隙に介在させ、補助治具１０を取り除く工程）を説明する説明図である。
【図７】本発明の実施形態に係る裂開鞘管内配管の分岐取り出し工法（膨張によって形成された裂開鞘管１と配管２との間隙を作業スペースとして、裂開鞘管１を管軸と垂直な断面で切断し配管２の分岐領域を開放する工程）を説明する説明図である。
【図８】本発明の実施形態に係る裂開鞘管内配管の分岐取り出し工法を説明する説明図（切断作業が終了した後に配管２の分岐領域が開放された状態）である。
【符号の説明】
【００２８】
１    裂開鞘管
２    配管
３    間隙保持部材
４    切断工具
１０    補助治具
１１    弾性挿入案内片
１２    枕部材
１２Ａ    弾性膨張バッグ
１３    圧力供給チューブ
１３Ａ  端子部
１４    空気ポンプ
【図１】
2006349141.tif 000003
【図２】
2006349141.tif 000004
【図３】
2006349141.tif 000005
【図４】
2006349141.tif 000006
【図５】
2006349141.tif 000007
【図６】
2006349141.tif 000008
【図７】
2006349141.tif 000009
【図８】
2006349141.tif 000010